(57)【要約】【課題】タイヤのユニフォミティを向上させるローカバーの予備成形方法の提供【解決手段】このローカバーの予備成形方法は、  それぞれがビードを形成する一対のビードリングとカーカスを形成するカーカスシートとを含む第一成形体を、円筒形状に形成する第一成形工程と、  上記第一成形体を膨張させる予備膨張工程と、  上記予備膨張工程後に上記第一成形体を収縮させる予備収縮工程と、  トレッドを形成するトレッドシートを含む第二成形体を、上記予備膨張工程及び上記予備収縮工程を経た上記第一成形体の半径方向外側に保持し、上記第一成形体を膨張させ、上記第一成形体と上記第二成形体とを合体する合体工程とを備える。  【選択図】図２
2019072844.tif 000002
【特許請求の範囲】
【請求項１】
それぞれがビードを形成する一対のビードリングとカーカスを形成するカーカスシートとを含む第一成形体を、円筒形状に形成する第一成形工程と、
上記第一成形体を膨張させる予備膨張工程と、
上記予備膨張工程後に上記第一成形体を収縮させる予備収縮工程と、
トレッドを形成するトレッドシートを含む第二成形体を、上記予備膨張工程及び上記予備収縮工程を経た上記第一成形体の半径方向外側に保持し、上記第一成形体を膨張させ、上記第一成形体と上記第二成形体とを合体する合体工程と
を備えるタイヤの製造方法。
【請求項２】
上記予備膨張工程において、上記一対のビードリングの間隔を狭めながら上記第一成形体を膨張させ、
上記予備収縮工程において、上記一対のビードリングの間隔を広げながら上記第一成形体を収縮させる請求項１に記載の製造方法。
【請求項３】
上記予備膨張工程から上記合体工程まで、それぞれのビードリングと上記カーカスシートとの位置関係が一定に保持されている請求項１又は２に記載の製造方法。
【請求項４】
上記第一成形体が、荷重支持層を形成する荷重支持シートを含む請求項１から３のいずれかに記載の製造方法。
【請求項５】
上記予備膨張工程において、上記第一成形体に流体を充填しており、上記流体を充填する充填時間が１秒以上９秒以下である請求項１から４のいずれかに記載の製造方法。
【請求項６】
上記予備膨張工程において上記第一成形体に流体を充填し、上記予備収縮工程において上記第一成形体から流体を排出しており、上記流体を排出する排出時間が１秒以上９秒以下である請求項１から５のいずれかに記載の製造方法。
【請求項７】
上記予備膨張工程において、上記一対のビードリングの間隔を狭めながら上記第一成形体を膨張させるときの、上記一対のビードリングの間隔の変化量が３０ｍｍ以上９０ｍｍ以下である請求項１から６のいずれかに記載の製造方法。
【請求項８】
円筒形状の第一成形体を保持する一対のドラム体と、上記第一成形体を膨張収縮させる膨張収縮装置と、第二成形体を保持するベルトトランスファーと、制御装置とを備えており、
上記制御装置が、
上記第一成形体と上記第二成形体と合体させる前に、上記膨張収縮装置を制御して、上記第一成形体を膨張させ、膨張後の上記第一成形体を収縮させる機能と
上記膨張収縮装置及び上記ベルトトランスファーを制御して、膨張及び収縮をさせた後の上記第一成形体を膨張させ、上記第一成形体をその半径方向外側に保持された上記第二成形体に合体させる機能と
を備えているタイヤの成形装置。
【発明の詳細な説明】
【技術分野】
【０００１】
本発明は、タイヤの製造方法に関する。詳細には、本発明は、ローカバー（生タイヤ）の予備成形方法に関する。
【背景技術】
【０００２】
タイヤの製造方法は、ローカバー（生タイヤ）が形成される予備成形工程と、このローカバーが加硫されてローカバーからタイヤが得られる加硫工程とを備える。特開２０１０−１２６７０号公報では、ローカバーが形成される予備成形方法が開示されている。この方法では、カーカスシートを含む筒体を拡径して、ビードリングが圧着されている。この方法では、一対のビードリング間においてカーカスシートの幅が均一化されている。これにより、カーカスのコードパスの均一化が図られ、タイヤのユニフォミティの向上が図られている。
【０００３】
特開２００５−７４７７８号公報にも、予備成形方法が開示されている。この方法では、カーカスシートを含む第一成形体とトレッドシートを含む第二成形体とが準備されている。この第一成形体が予熱されている。この予熱によって、第一成形体の膨張の均一化が図られている。この第一成形体を膨張させて第二成形体に圧着することで、この方法は、ローカバーの成形精度を向上させている。この成形精度を向上させることで、タイヤのユニフォミティの向上が図られている。
【先行技術文献】
【特許文献】
【０００４】
【特許文献１】特開２０１０−１２６７０号公報
【特許文献２】特開２００５−７４７７８号公報
【発明の概要】
【発明が解決しようとする課題】
【０００５】
第一成形体は、カーカスシート及びビードリングの他、複数のゴム材料が積層されて形成される。このため、第一成形体は、その全長及び全周に亘って均一に変形するものではない。この第一成形体を均一に膨張させることは容易でない。特開２０１０−１２６７０号公報の方法では、第一成形体の不均一な膨張を改善し得ない。一方、特開２００５−７４７７８号公報の方法では、予熱によって、第一成形体の膨張の均一性が高められている。しかし、タイヤのユニフォミティの向上の観点から、更に第一成形体の膨張の均一性を高めることが望まれている。
【０００６】
本発明の目的は、ユニフォミティを向上させるタイヤの製造方法の提供にある。
【課題を解決するための手段】
【０００７】
本発明に係るタイヤの製造方法は、
それぞれがビードを形成する一対のビードリングとカーカスを形成するカーカスシートとを含む第一成形体を、円筒形状に形成する第一成形工程と、
上記第一成形体を膨張させる予備膨張工程と、
上記予備膨張工程で膨張させられた上記第一成形体を収縮させる予備収縮工程と、
トレッドを形成するトレッドシートを含む第二成形体を、上記予備膨張工程及び上記予備収縮工程を経た上記第一成形体の半径方向外側に保持し、上記第一成形体を膨張させ、上記第一成形体と上記第二成形体とを合体する合体工程と
を備える。
【０００８】
好ましくは、上記予備膨張工程において、上記一対のビードリングの間隔を狭めながら上記第一成形体を膨張させる。上記予備収縮工程において、上記一対のビードリングの間隔を広げながら上記第一成形体を収縮させる。
【０００９】
好ましくは、上記予備膨張工程から上記合体工程まで、それぞれのビードリングと上記カーカスシートとの位置関係が一定に保持されている。
【００１０】
好ましくは、上記第一成形体は、荷重支持層を形成する荷重支持シートを含む。
【００１１】
上記予備膨張工程において、上記第一成形体に流体を充填する。上記流体を充填する充填時間は、好ましくは１秒以上９秒以下である。
【００１２】
上記予備膨張工程において、上記第一成形体に流体を充填する。上記予備収縮工程において、上記流体を排出する排出時間は、好ましくは１秒以上９秒以下である。
【００１３】
上記予備膨張工程において、上記一対のビードリングの間隔を狭めながら上記第一成形体を膨張させるときの、上記一対のビードリングの間隔の変化量は、好ましくは３０ｍｍ以上９０ｍｍ以下である。
【００１４】
本発明に係るタイヤの成形装置は、円筒形状の第一成形体を保持する一対のドラム体と、上記第一成形体を膨張収縮させる膨張収縮装置と、第二成形体を保持するベルトトランスファーと、制御装置とを備えている。
上記制御装置は、
上記第一成形体と上記第二成形体と合体させる前に、上記膨張収縮装置を制御して、上記第一成形体を膨張させ、膨張後の上記第一成形体を収縮させる機能と、
上記流体充填排出装置及び上記ベルトトランスファーを制御して、膨張及び収縮をさせた後の上記第一成形体を膨張させ、上記第一成形体をその半径方向外側に保持された上記第二成形体に合体させる機能と
を備えている。
【発明の効果】
【００１５】
本発明に係るタイヤの製造方法は、予備膨張工程及び予備収縮工程を備えている。この予備膨張工程及び予備収縮工程を経た第一成形体は、伸縮させられている。この第一成形体は、合体工程に先立って伸縮させられることで、合体工程において従来に比べて均一に膨張し易い。この第一成形体を第二成形体に合体させることで、ローカバーの成形精度を向上させうる。これにより、タイヤのユニフォミティを向上させうる。
【図面の簡単な説明】
【００１６】
【図１】図１は、本発明に係るタイヤの製造方法で製造される空気入りタイヤの一例の断面図である。
【図２】図２は、本発明の一実施形態に係るタイヤの製造方法に用いられる成形装置が示された概念図である。
【図３】図３は、図２の成形装置の部分拡大図である。
【図４】図４は、図２の成形装置によるタイヤの製造方法の説明図である。
【図５】図５は、図２の成形装置によるタイヤの製造方法の他の説明図である。
【図６】図６は、図２の成形装置によるタイヤの製造方法の更に他の説明図である。
【図７】図７は、図２の成形装置によるタイヤの製造方法の更に他の説明図である。
【発明を実施するための形態】
【００１７】
以下、適宜図面が参照されつつ、好ましい実施形態に基づいて本発明が詳細に説明される。
【００１８】
図１の空気入りタイヤ２は、本発明に係る製造方法で製造されるタイヤの一例である。図１の一点鎖線ＣＬはタイヤ２の赤道面を表わす。直線ＢＬは、ビードベースラインを示す。このタイヤ２の形状は、トレッドパターンを除き、赤道面ＣＬに対して対称である。このタイヤ２は、トレッド４、一対のサイドウォール６、一対のクリンチ８、一対のビード１０、カーカス１２、一対の支持層１４、ベルト１６、バンド１８、インナーライナー２０及び一対のチェーファー２２を備えている。
【００１９】
トレッド４は、路面と接地するトレッド面４ａを形成する。それぞれのサイドウォール６は、撓みによって路面からの衝撃を吸収する。このサイドウォール６は、カーカス１２の外傷を防止する。ビード１０は、コアと、コアから半径方向外向きに延びるエイペックスとを備えている。コアは、リング状であり、巻回された非伸縮性ワイヤーを含む。エイペックスは、半径方向外向きに先細りである。このエイペックスは、高硬度な架橋ゴムからなる。カーカス１２は、カーカスプライからなる。カーカスプライは、両側のビード１０の間に架け渡されている。カーカス１２は、タイヤ２の骨格を構成する。ベルト１６及びバンド１８は、トレッド４の半径方向内側に位置している。ベルト１６及びバンド１８は、カーカス１２を補強する。インナーライナー２０は、カーカス１２の内側に位置している。インナーライナー２０は、タイヤ２の内圧を保持する。
【００２０】
それぞれの支持層１４は、サイドウォール６の軸方向内側に位置している。この支持層１４は、半径方向においてトレッド４とビード１０との間に位置している。支持層１４は、高硬度な架橋ゴムからなる。このタイヤ２がパンクしたとき、この支持層１４が荷重を支える。この支持層１４を備えることで、タイヤ２は、パンク状態でも、ある程度の距離を走行しうる。このタイヤ２は、ランフラットタイヤと称される。ここでは、このタイヤ２を例に、本発明に係るタイヤの製造方法が説明される。
【００２１】
図２には、本発明に係る製造方法に用いられる成形装置２４が示されている。この成形装置２４は、第一成形装置２６と、第二成形装置２８と、ベルトトランスファー３０とを備えている。図示されないが、この成形装置２４は、更に、膨張収縮装置としての流体充填排出装置と、制御装置とを備えている。
【００２２】
第一成形装置２６は、架台３２及びシェーピングフォーマ３４を備えている。シェーピングフォーマ３４は、架台３２に支持されている。シェーピングフォーマ３４は、回転筒体３６と一対のドラム体３８とを備えている。この回転筒体３６は、その軸線Ｌｆを回転軸にして回転可能にされている。それぞれのドラム体３８は、回転筒体３６に支持されている。図２の一点鎖線Ｌｄは、軸方向において一対のドラム体３８から等距離にある中心線を表している。一対のドラム体３８は、回転筒体３６に対して軸方向に移動可能にされている。一対のドラム体３８は、中心線Ｌｄの位置を一定にして、軸方向の間隔を変更可能にされている。
【００２３】
第二成形装置２８は、架台４０及びベルトドラム４２を備えている。ベルトドラム４２は、架台４０に支持されている。ベルトドラム４２の形状は円筒形状である。ベルトドラム４２は、その軸線Ｌｂを回転軸にして回転可能にされている。このベルトドラム４２の外周面は、その半径方向に拡径及び縮径を可能にされている。
【００２４】
ベルトトランスファー３０は、レール４４、移動台４６、環状フレーム４８及び複数の保持具５０を備えている。移動台４６は、このレール４４に沿って移動可能にされている。移動台４６は、第一成形装置２６と第二成形装置２８との間を移動可能にされている。環状フレーム４８は、移動台４６に載置され固定されている。環状フレーム４８には、環状フレーム４８を貫通する開口４８ａが形成されている。この開口４８ａの軸方向に垂直な断面形状は、円形である。この開口４８ａの軸線Ｌｔと、シェーピングフォーマ３４の軸線Ｌｆと、ベルトドラム４２の軸線Ｌｂとは、同一直線線上に位置している。この開口４８ａの内周面に複数の保持具５０が配置されている。複数の保持具５０は、開口４８ａの内周面に、周方向に沿って等間隔に配置されている。複数の保持具５０は、一体として、軸線Ｌｔを回転軸に回転可能にされている。
【００２５】
保持具５０は、保持具本体５０ａ及びクランプ５０ｂを備えている。クランプ５０ｂは、保持具本体５０ａに対して、開口４８ａの半径方向に移動しうる。複数のクランプ５０ｂは、同圧力で、同ストロークで、移動しうる。これにより、複数のクランプ５０ｂの当接面５０ｃは、軸線Ｌｔに垂直な断面において、軸線Ｌｔを中心とする同一円に接する様に位置している。複数のクランプ５０ｂは、それぞれの当接面５０ｃが同じ円に接する位置関係を維持しつつ、開口４８ａの半径方向に拡縮可能にされている。
【００２６】
図３に示される様に、それぞれのドラム体３８は、ドラム本体５２、ビードロックリング５４、ピストン５６及びターンアップブラダー５８を備えている。ドラム本体５２には、流体として圧縮空気が流れる流路６０及び流路６２が形成されている。この流路６０は、ターンアップブラダー５８に接続されている。この流路６２は、ドラム本体５２の軸方向内側端面５２ａに開口している。
【００２７】
流体充填排出装置は、圧縮流体供給源としての圧縮空気供給源と、この圧縮空気供給源と流路６２と接続する充填配管と、この充填配管を開閉する開閉弁と、流路６２を大気開放する排出配管と、この排出配管を開閉する開閉弁とを備えている。流体充填排出装置は、更に、この圧縮空気供給源と流路６０と接続する充填配管と、この充填配管を開閉する開閉弁と、流路６０を大気開放する排出配管と、この排出配管を開閉する開閉弁とを備えている。
【００２８】
制御装置は、ベルトトランスファー３０の位置を制御する機能と、保持具５０による保持と保持の解除とを制御する機能とを備えている。制御装置は、一対のドラム体３８の軸方向位置を制御する機能を備えている。制御装置は、流体充填装置の開閉弁の開閉を制御する機能を備えている。
【００２９】
図４には、第一成形装置２６の使用状態が示されている。図４では、第一成形体６４が、一対のドラム体３８の半径方向外側に位置している。この一対のドラム３８は、軸方向に離れた原位置にある。この原位置では、それぞれのビードロックリング５４は、ビードリング７２の半径方向内側に配置されている。図４の両矢印ｗ１は、原位置における一対のドラム３８の間隔を表している。この間隔ｗ１は、一方のドラム本体５２の軸方向内側端面５２ａから他方のドラム本体５２の軸方向内側端面５２ａまでの、軸方向の直線距離として求められる。
【００３０】
この第一成形体６４は、インナーライナーシート６６、一対の支持層シート６８、カーカスシート７０及び一対のビードリング７２を備えている。インナーライナーシート６６は、インナーライナー２０を形成する材料である。一対の支持層シート６８は、支持層１４を形成する材料である。カーカスシート７０は、カーカス１２を形成する材料である。一対のビードリング７２は、一対のビード１０を形成する材料である。図示されないが、第一成形体６４は、更に、サイドウォール６を形成するサイドウォールシート、クリンチ８を形成するクリンチシート、チェーファー２２を形成するチェーファーシート等の材料を含んでいてもよい。
【００３１】
図５には、第一成形装置２６の他の使用状態が示されている。図５では、一対のドラム体３８は、軸方向において、原位置から互いに近付いている。一対のドラム体３８は、接近位置にある。ビードロックリング５４は、ビードリング７２の内周面に、カーカスシート７０の外周面を押し付けている。一対のドラム体３８の間には、流体としての圧縮空気が充填されている。第一成形体６４は、一対のビードリング７２の間で、拡径されている。第一成形体６４は、一対のビードリング７２の間で、膨張させられている。図５の両矢印ｗ２は、接近位置における一対のドラム３８の間隔を表している。この間隔ｗ２は、一方のドラム本体５２の軸方向内側端面５２ａから他方のドラム本体５２の軸方向内側端面５２ａまでの、軸方向の直線距離として求められる。
【００３２】
図６には、第一成形装置２６の更に他の使用状態が示されている。図６では、一対のドラム体３８が軸方向において、原位置にある。ビードロックリング５４は、ビードリング７２の内周面にカーカスシート７０の外周面を押し付けている。一対のドラム体３８の空間は、流路６２（図３参照）の排出配管によって、大気に連通している。第一成形体６４は、一対のビードリング７２の間で縮径されている。第一成形体６４の、一対のビードリング７２の間の部分は、収縮している。
【００３３】
図７には、第一成形装置２６の更に他の使用状態が示されている。図７では、一対のドラム体３８が軸方向において、接近位置にある。ビードロックリング５４は、ビードリング７２の内周面にカーカスシート７０の外周面を押し付けている。一対のドラム体３８の間には、圧縮空気が充填されている。第一成形体６４は、一対のビードリング７２の間で、トロイド形状に拡径されている。第一成形体６４の、一対のビードリング７２の間の部分は、膨張させられている。第一成形体６４の半径方向外側には、第二成形体７４が配置されている。図示されないが、この第二成形体７４は、ベルトトランスファー３０の保持具５０（図２参照）によって、保持されている。
【００３４】
図示されないが、この第二成形体７４は、円筒形状を備えている。第二成形体７４は、トレッドシート、ベルトシート及びバンドシートを備えている。トレッドシートは、トレッド４を形成する材料である。ベルトシートは、ベルト１６を形成する材料である。バンドシートは、バンド１８を形成する材料である。この第二成形体７４は、更に、他の材料を含んでいてもよい。
【００３５】
このタイヤ２の製造方法は、予備成形工程及び加硫工程を備えている。この予備成形工程では、未加硫のローカバーが成形される。加硫工程では、このローカバーが加硫成形されて、このローカバーからタイヤ２が得られる。
【００３６】
図２から図７を参照しつつ、成形装置２４を用いて、この予備成形工程が説明される。この成形工程は、第一成形工程、第二成形工程、予備膨張工程、予備収縮工程及び合体工程を備えている。
【００３７】
第一成形工程では、図示されないが中間成形ドラムとしての成形ドラムが準備される。成形ドラムの外周面に、インナーライナーシート６６、一対の支持層シート６８、カーカスシート７０等が順次巻回される。図示されないが、サイドウォールシートやクリンチシート等も、共に順次巻回されてもよい。この様にして、インナーライナーシート６６、一対の支持層シート６８及びカーカスシート７０を含む中間成形体７６が形成される。
【００３８】
この中間成形体７６は、図示されない搬送装置によって、図２のシェーピングフォーマ３４の半径方向外側に配置される。この搬送装置は、一対のビードリング７２も、中間成形体７６の半径方向外側の所定の位置に保持する。この様にして、図４に示される様に、一対のビードリング７２と中間成形体７６とが保持される。図４の状態から、ロックリング５４を拡径する。ロックリング５４は、中間成形体７６の外周面をビードリング７２の内周面に押し付ける。
【００３９】
ここでは、成形ドラムにおいて中間成形体７６が形成されたが、成形ドラムで中間成形体７６と一対のビードリング７２とが圧着されてもよい。成形ドラムにおいて、第一成形体６４が形成されてもよい。また、成形ドラムを用いずに、シェーピングフォーマ３４の外周面に、インナーライナーシート６６、一対の支持層シート６８、カーカスシート７０等が順次巻回されてもよい。
【００４０】
第二成形工程では、図２のベルトドラム４２の外周面に、ベルトシートが巻回される。ベルトシートの外周に、バンドシートが巻回される。更に、バンドシートの外周にトレッドシートが巻回される。この様にして、第二成形体７４が形成される。ここでは、ベルトシート、バンドシート及びトレッドシートを例に説明がされるが、ベルトシートやバンドシートは必ずしもなくともよい。また、このトレッドシートと共に、他の材料が巻回されてもよい。
【００４１】
予備膨張工程では、第一成形体６４は、シェーピングフォーマ３４の半径方向外側に配置されている。ビードロックリング５４は、それぞれのビードリング７２の内周面に、カーカスシート７０の外周面を押し付けている。制御装置は、流体充填排出装置を制御する。制御装置は、圧縮空気供給源と流路６２とを接続する充填配管の開閉弁を開かせる。流体充填排出装置は、第一成形体６４に、圧縮空気を充填する。制御装置は、一対のドラム体３８を制御して、一対のドラム体３８を互いに近付ける。第一成形体６４は、図５に示される様に、膨張する。この第一成形体６４は、この膨張した状態で、例えば、３秒間保持される。
【００４２】
予備収縮工程では、制御装置は、圧縮空気供給源と流路６２とを接続する充填配管の開閉弁を閉じさせる。流路６２を大気開放する排出配管の開閉弁を開かせる。第一成形体６４に充填された圧縮空気は、排出配管から排出される。制御装置は、一対のドラム体３８を制御して、一対のドラム体３８を互いに遠ざける。第一成形体６４は、図６に示される様に、収縮する。この第一成形体６４は、この収縮した状態になるまで、例えば、３秒間、流路６２を大気開放する。この圧縮空気の排出は、真空引きでされてもよい。
【００４３】
合体工程では、制御装置がベルトトランスファー３０を制御する。ベルトトランスファー３０は、図２のベルトドラム４２に巻回された第二成形体７４を保持具５０で保持する。ベルトドラム４２が縮径する。ベルトトランスファー３０は、第二成形体７４をベルトドラム４２から受け取る。ベルトトランスファー３０は、第二成形体７４を、第一成形装置２６へ搬送する。第二成形体７４を第一成形体６４の半径方向外側に保持する。
【００４４】
制御装置は、流体充填排出装置及びシェーピングフォーマ３４を制御する。制御装置は、充填配管を開閉する開閉弁を開かせる。第一成形体６４に、圧縮空気が充填される。制御装置は、一対のドラム体３８を互いに近づける。一対のドラム体３８が間隔を狭めながら第一成形体６４が膨張させられる。第一成形体６４は、図７に示される様に、膨張する。この様にして、図７の状態にされる。
【００４５】
図示されないが、一対のターンアップブラダー５８が膨張して、カーカスシート７０の軸方向端部がビードリング７２の周りで折り返される。その後に、この第一成形体６４の外周面は、第二成形体７４の内周面に圧着される。ステッチャーによって、第一成形体６４の外周面に、第二成形体７４が圧着される。この様にして、ローカバーが形成される。
【００４６】
この予備成形工程では、合体工程に先立って、予備膨張工程及び予備収縮工程が実行される。この第一成形体６４は、合体工程の前に、伸縮されている。これにより、合体工程において、第一成形体６４は膨張し易くなっている。合体工程において、より均一に膨張し易い。この予備成形工程は、ローカバーの成形精度を向上しうる、これにより、タイヤ２のユニフォミティを向上しうる。
【００４７】
予備膨張工程において、一対のビードリング７２の間隔を狭めながら第一成形体６４を膨張させる。この予備膨張工程では、合体工程と同様にして、第一成形体６４を膨張させる。この予備膨張工程は、合体工程での第一成形体６４の膨張を容易にしている。予備収縮工程において、一対のビードリング７２の間隔を広げながら第一成形体６４を収縮させる。この予備収縮工程では、収縮する第一成形体６４に弛みが生じることが抑制されている。この予備収縮工程は、ローカバーの成形精度の向上に寄与する。更に、一対のビードリング７２の間隔を広げながら第一成形体６４を収縮させることで、圧縮空気が排出され易い。この予備収縮工程は、圧縮空気の排出時間の短縮に寄与する。
【００４８】
予備膨張張工程において、一対のビードリング７２の間隔の変化量が大きくされることで、第一成形体６４は合体工程と同様の膨張を容易にされている。この膨張を容易にする観点から、一対のビードリング７２の間隔の変化量は、好ましくは３０ｍｍ以上であり、更に好ましくは４０ｍｍ以上である。一方で、一対のビードリング７２の間隔の変化量が大き過ぎると一対のビードリング７２の位置ずれが生じ易い。この位置ずれは、タイヤ２のユニフォミティを低下させる。この位置ずれを抑制する観点から、一対のビードリング７２の間隔の変化量は、好ましくは９０ｍｍ以下である。この一対のビードリング７２の間隔の変化量は、一対のドラム体３８の間隔の変化量（ｗ１−ｗ２）として求められる。
【００４９】
この予備膨張工程では、例えば、合体工程での圧縮空気の空気圧と同じ空気圧の圧縮空気が用いられる。この空気圧は、例えば、０．５ＭＰａ以上２．０ＭＰａ以下である。この空気圧は、大気圧を０Ｐａ（基準圧）として測定される。
【００５０】
予備膨張工程において、圧縮空気の充填時間を長くすることで、第一成形体６４を十分に膨張しうる。合体工程において、第一成形体６４を均一に膨張させ易い。この観点から、圧縮空気の充填時間は、好ましくは１秒以上であり、更に好ましくは２秒以上である。一方で、圧縮空気の充填時間が長過ぎると、第一成形体６４が膨張し過ぎる。膨張し過ぎた第一成形体６４は、収縮後でも、ベルトトランスファー３０の保持する第二成形体７４に干渉しやすい。この干渉を抑制する観点から、この充填時間は、好ましくは９秒以下であり、更に好ましくは７秒以下である。
【００５１】
予備収縮工程において、圧縮空気を排出する排出時間を長くすることで、第一成形体６４を十分に収縮しうる。第一成形体６４は、ベルトトランスファー３０が搬送する第二成形体７４との干渉が抑制される。この観点から、この排出時間は、好ましくは１秒以上であり、更に好ましくは３秒以上である。一方で、この排出時間を短くすることで、生産性を向上しうる。この観点から、この排出時間は、好ましくは９秒以下であり、更に好ましくは５秒以下である。
【００５２】
この予備成形工程では、予備膨張工程から合体工程まで、それぞれのビードリング７２とカーカスシート７０との位置関係が一定に保持されている。予備膨張工程や予備収縮工程を経ることで、一対のビードリング７２間の、カーカスシート７０の幅が変動することが抑制されている。この予備成形工程は、カーカス１２のコードパスの乱れを抑制する。この予備成形工程は、タイヤ２のユニフォミティの低下を抑制している。
【００５３】
このタイヤ２がパンクしたときに、支持層１４が車重を支える。この車重を支持する観点から、支持層１４の硬度は高くされている。この支持層１４の硬度は、例えば、６５以上９０以下である。この支持層１４を形成する支持層シート６８は、第一成形体６４の膨張を阻害する。この第一成形体６４の均一な膨張を阻害する。予備膨張工程及び予備収縮工程を実行することで、第一成形体６４は、膨張し易くなる。この予備成形工程は、支持層１４を備えるタイヤ２のユニフォミティの向上に特に寄与しうる。
【００５４】
本発明において、硬度はＪＩＳ−Ａ硬度である。この硬度は、「ＪＩＳ−Ｋ６２５３」の規定に準拠して、２３℃の環境下で、タイプＡのデュロメータによって測定される。この硬度は、タイヤ２の断面にタイプＡのデュロメータが押し付けられることで測定される。
【００５５】
この予備膨張工程では、第一成形体６４の内周面に直接に圧縮空気が充填されたが、これに限られない。一対のドラム体３８の間にブラダーを設け、このブラダーを膨張させて、第一成形体６４を膨張させてもよい。
【００５６】
更に、予備膨張工程における第一成形体６４の膨張は、流体によるものに限られない。
例えば、治具を用いて第一成形体６４を膨張させ、収縮させてもよい。例えば、一対のドラム体３８の間に、複数のセグメントを配置する。これらのセグメントを周方向に並べる。これらのセグメントを半径方向に拡径及び縮径することで、第一成形体６４が膨張させられ、収縮させられてもよい。
【実施例】
【００５７】
以下、実施例によって本発明の効果が明らかにされるが、この実施例の記載に基づいて本発明が限定的に解釈されるべきではない。
【００５８】
［実施例１］
本発明の製造方法で、図１のランフラットタイヤが製造された。このタイヤサイズは、「２７５／３５ＲＦ２１」であった。一対のドラム体の間隔の変化量（ｗ１−ｗ２）が計算されている。この変化量（ｗ１−ｗ２）は、一対のビードリングの間隔の変化量に等しい。この変化量（ｗ１−ｗ２）と、充填時間と、大気開放時間とが表１に示されている。この方法で、２０本のタイヤが製造された。
【００５９】
［比較例１］
従来の製造方法でタイヤが製造された。この方法は、予備膨張工程及び予備収縮工程を備えていない。その他は、実施例１と同様にして、２０本のタイヤが製造された。
【００６０】
［実施例２］
大気開放時間が変更された他は、実施例１と同様にして、２０本のタイヤが製造された。
【００６１】
［ユニフォミティ評価］
「ＪＡＳＯ Ｃ６０７：２０００」に規定されたユニフォミティ試験方法に準拠して、下記に示す条件にて、ラジアル・フォース・バリエーション（ＲＦＶＯＡ、ＲＦＶ１Ｈ）及びラテラル・フォース・バリエーション（ＬＦＶＯＡ）を測定した。ＲＦＶＯＡは、ＲＦＶのオーバーオールの測定結果を示し、ＲＦＶ１Ｈは一次成分の測定結果を示し、ＬＦＶＯＡは、ＬＦＶのオーバーオールの測定結果を示している。それぞれ２０本のタイヤを測定した結果が、比較例１を１００とする指数で下記の表１に示されている。これらの数値が小さいほど、評価が高い。
内圧：２００ｋＰａ
荷重：５．４１ｋＮ
速度：３０ｋｍ／ｈ
【００６２】
【表１】
2019072844.tif 000003
【００６３】
表１に示されるように、実施例の製造方法では、比較例の製造方法に比べて評価が高い。この評価結果から、本発明の優位性は明らかである。
【産業上の利用可能性】
【００６４】
以上説明された方法は、予備成形工程を備えるタイヤの製造方法に広く適用されうる。
【符号の説明】
【００６５】
２・・・タイヤ
４・・・トレッド
６・・・サイドウォール
８・・・クリンチ
１０・・・ビード
１２・・・カーカス
１４・・・支持層
１６・・・ベルト
１８・・・バンド
２０・・・インナーライナー
２２・・・チェーファー
２４・・・成形装置
２６・・・第一成形装置
２８・・・第二成形装置
３０・・・ベルトトランスファー
３４・・・シェーピングフォーマ
３６・・・回転筒体
３８・・・ドラム体
５０・・・保持具
５４・・・ビードロックリング
６０、６２・・・流路
６４・・・第一成形体
６６・・・インナーライナーシート
６８・・・支持シート
７０・・・カーカスシート
７２・・・ビードリング
７４・・・第二成形体
【図１】
2019072844.tif 000004
【図２】
2019072844.tif 000005
【図３】
2019072844.tif 000006
【図４】
2019072844.tif 000007
【図５】
2019072844.tif 000008
【図６】
2019072844.tif 000009
【図７】
2019072844.tif 000010